(57)【要約】【課題】電子機器の機器側取付孔のピッチと筐体の筐体側取付孔のピッチとが互いに異なっていても、電子機器を筐体に取り付けることができるようにする。【解決手段】所定のピッチで配列された複数の筐体側取付孔１１を有する筐体１に、筐体側取付孔と異なるピッチで配列された複数の機器側取付孔２１を有する電子機器２を、ネジ止めにより取り付けるための取付部材３であって、複数の筐体側取付孔に対応するピッチで一方向に配列された複数の貫通孔３３を有する本体部３１と、本体部から突出して複数の機器側取付孔に対応するピッチで一方向に配列された複数の雄ねじ部３２と、を備える取付部材を提供する。【選択図】図２
2019091761.tif 000002
【特許請求の範囲】
【請求項１】
所定のピッチで配列された複数の筐体側取付孔を有する筐体に、前記筐体側取付孔と異なるピッチで配列された複数の機器側取付孔を有する電子機器を、ネジ止めにより取り付けるための取付部材であって、
複数の前記筐体側取付孔に対応するピッチで一方向に配列された複数の貫通孔を有する本体部と、前記本体部から突出して複数の前記機器側取付孔に対応するピッチで前記一方向に配列された複数の雄ねじ部と、を備える取付部材。
【請求項２】
複数の前記貫通孔は、互いに異なるピッチで配列された複数種類の貫通孔群を構成している請求項１に記載の取付部材。
【請求項３】
前記貫通孔の貫通方向と、前記雄ねじ部の突出方向とが、互いに一致している請求項１又は請求項２に記載の取付部材。
【請求項４】
複数の前記貫通孔及び複数の前記雄ねじ部が、前記一方向に並んでいる請求項３に記載の取付部材。
【請求項５】
前記貫通孔が開口する前記本体部の主面のうち前記貫通孔の周縁領域には、前記貫通孔に通されるネジの頭部を収容するための収容凹部が形成されている請求項３又は請求項４に記載の取付部材。
【請求項６】
複数の前記貫通孔が、前記一方向における基準位置を中心として互いに対称に位置し、
複数の前記雄ねじ部が、前記基準位置を中心として互いに対称に位置する請求項１から請求項５のいずれか一項に記載の取付部材。
【請求項７】
所定のピッチで配列された複数の筐体側取付孔を有する筐体と、
前記筐体側取付孔と異なるピッチで配列された複数の機器側取付孔を有する電子機器と、
請求項１から請求項６のいずれか一項に記載の取付部材と、
を備え、
前記取付部材は、前記取付部材の各貫通孔と前記筐体の各筐体側取付孔とにネジを通すことで、ネジ止めによって前記筐体に取り付けられ、
前記電子機器は、前記取付部材の各雄ねじ部を前記電子機器の各機器側取付孔に挿通させた上で、各雄ねじ部に雌ねじ部材を取り付けることで、ネジ止めによって前記取付部材に取り付けられる電子機器の取付構造。
【請求項８】
前記雌ねじ部材は、その軸方向に延びる棒状に形成され、
前記軸方向における前記雌ねじ部材の第一端部には、前記雄ねじ部が取り付けられ、
前記軸方向における前記雌ねじ部材の第二端部には、別の雄ねじ部材が取り付け可能である請求項７に記載の電子機器の取付構造。
【発明の詳細な説明】
【技術分野】
【０００１】
この発明は、取付部材、及び、電子機器の取付構造に関する。
【背景技術】
【０００２】
各種の電子機器を筐体に収容する際には、ネジ止めによって電子機器を筐体に固定することがある。
特許文献１には、電子機器（機器ユニット）を筐体（ラック）に取り付けるための取付部材として、平板の長手方向の両端部を互いに逆向きに折り曲げて形成し、折り曲げた両端部にそれぞれ異なるピッチで配列された複数の取付用ネジ孔（ラック取付用ネジ孔）を形成したものが開示されている。この取付部材は、筐体（ラックフレーム）に形成された複数の筐体側取付孔のピッチに応じて、電子機器に対する取付部材の取り付けの向きを決定した上で、電子機器に取り付けられる。そして、取付部材の一方の端部の各取付用ネジ孔と、筐体の各筐体側取付孔と、にネジを通すことで、ネジ止めによって電子機器を筐体に取り付けることができる。すなわち、特許文献１の取付部材を用いることで、筐体側取付孔のピッチが異なる複数種類の筐体に、電子機器を取り付けることができる。
【先行技術文献】
【特許文献】
【０００３】
【特許文献１】特開２００８−２７０４８０号公報
【発明の概要】
【発明が解決しようとする課題】
【０００４】
ところで、電子機器には、これを筐体にネジ止めするための複数の取付孔（機器側取付孔）を有するものもある。この場合、特許文献１のような取付部材を電子機器に取り付けることができない。このため、電子機器の機器側取付用孔のピッチが、筐体の筐体側取付用孔のピッチと異なっていると、電子機器を筐体に固定することができない、という問題がある。
【０００５】
本発明は、上述した事情に鑑みたものであって、電子機器の機器側取付孔のピッチと筐体の筐体側取付孔のピッチとが互いに異なっていても、電子機器を筐体に取り付けることができる取付部材及びこれを含む電子機器の取付構造を提供することを目的とする。
【課題を解決するための手段】
【０００６】
本発明の一態様は、所定のピッチで配列された複数の筐体側取付孔を有する筐体に、前記筐体側取付孔と異なるピッチで配列された複数の機器側取付孔を有する電子機器を、ネジ止めにより取り付けるための取付部材であって、複数の前記筐体側取付孔に対応するピッチで一方向に配列された複数の貫通孔を有する本体部と、前記本体部から突出して複数の前記機器側取付孔に対応するピッチで前記一方向に配列された複数の雄ねじ部と、を備える取付部材である。
【０００７】
本発明の一態様は、所定のピッチで配列された複数の筐体側取付孔を有する筐体と、前記筐体側取付孔と異なるピッチで配列された複数の機器側取付孔を有する電子機器と、前記取付部材と、を備え、前記取付部材は、前記取付部材の各貫通孔と前記筐体の各筐体側取付孔とにネジを通すことで、ネジ止めによって前記筐体に取り付けられ、前記電子機器は、前記取付部材の各雄ねじ部を前記電子機器の各機器側取付孔に挿通させた上で、各雄ねじ部に雌ねじ部材を取り付けることで、ネジ止めによって前記取付部材に取り付けられる電子機器の取付構造である。
【発明の効果】
【０００８】
本発明によれば、筐体における筐体側取付孔のピッチと、電子機器における機器側取付孔のピッチとが互いに異なっていても、ネジ止めによって電子機器を筐体に取り付けることができる。
【図面の簡単な説明】
【０００９】
【図１】本発明の一実施形態に係る電子機器の取付構造を示す平断面図である。
【図２】図１のII−II矢視断面図である。
【図３】本発明の一実施形態に係る取付部材を示す正面図である。
【図４】本発明の一実施形態に係る取付部材の要部を示す拡大断面図である。
【発明を実施するための形態】
【００１０】
図１−４を参照して本発明の一実施形態について説明する。
図１，２に示すように、本実施形態に係る電子機器の取付構造は、筐体１と、電子機器２と、取付部材３と、を備える。
【００１１】
筐体１は、所定のピッチで配列された複数の筐体側取付孔１１を有する。
筐体１の具体的な構成は任意であってよい。本実施形態の筐体１は、後述する電子機器２を収容する収容空間１２を有する。筐体１の収容空間１２は、筐体１の前面１３に開口している。
本実施形態の筐体１は、その開口部分に設けられた一対のフレーム部１４を備える。各フレーム部１４は、収容空間１２が開口する方向（Ｙ軸方向）に直交する方向（Ｚ軸方向）に延びている。
【００１２】
複数の筐体側取付孔１１は、各フレーム部１４に形成され、Ｚ軸方向（フレーム部１４の長手方向）において所定のピッチで配列されている。
各フレーム部１４において、複数の筐体側取付孔１１の軸方向は、互いに平行している。すなわち、同一のフレーム部１４に形成される複数の筐体側取付孔１１は、同じ方向に開口している。
【００１３】
一対のフレーム部１４は、Ｙ軸方向及びＺ軸方向に直交する方向（Ｘ軸方向）に互いに間隔をあけて配列されている。具体的に、一対のフレーム部１４は、収容空間１２をなす筐体１の内面のうちＸ軸方向において互いに対向する一対の内側面１５にそれぞれ設けられている。
複数の筐体側取付孔１１のピッチやＺ軸方向における筐体側取付孔１１の位置は、一対のフレーム部１４の間で互いに等しい。
【００１４】
筐体側取付孔１１の軸方向は、例えばＸ軸方向に向いていてもよいが、本実施形態ではＹ軸方向に向いている。
筐体側取付孔１１は、少なくともＹ軸負方向（筐体１の開口が向く方向）に開口していればよい。すなわち、筐体側取付孔１１は、例えば有底の孔であってよい。本実施形態の筐体側取付孔１１は、フレーム部１４を貫通している。本実施形態において、筐体側取付孔１１の内面には雌ねじが形成されているが、これに限ることは無い。
【００１５】
電子機器２は、ネジ止めによって筐体１に取り付けられるものであり、筐体側取付孔１１と異なるピッチで配列された複数の機器側取付孔２１を有する。
電子機器２の具体的な構成は任意であってよい。本実施形態の電子機器２は、機器本体２２と、一対の取付部２３と、を備える。
一対の取付部２３は、機器本体２２から互いに逆向きに突出している。取付部２３は、例えば機器本体２２のケース等に一体に形成されてもよいし、機器本体２２と別個に形成された上で機器本体２２に取り付けられてもよい。各取付部２３は、一方向（図示例ではＺ軸方向）に延びている。一対の取付部２３の長手方向は、互いに平行している。
【００１６】
複数の機器側取付孔２１は、各取付部２３に形成されている。複数の機器側取付孔２１は、取付部２３の長手方向において筐体側取付孔１１と異なるピッチで配列されている。図示例では、複数の機器側取付孔２１のピッチが複数の筐体側取付孔１１のピッチよりも大きいが、これに限ることは無い。
各機器側取付孔２１は、取付部２３を貫通している。各機器側取付孔２１の軸方向（貫通方向）は、機器本体２２に対する取付部２３の突出方向（図示例ではＸ軸方向）、及び、取付部２３の長手方向（図示例ではＺ軸方向）に直交する方向（図示例ではＹ軸方向）に向いている。
【００１７】
上記した筐体１及び電子機器２において、一対の取付部２３の配列方向（図示例ではＸ軸方向）における機器側取付孔２１同士の間隔、及び、一対のフレーム部１４の配列方向（Ｘ軸方向）における筐体側取付孔１１同士の間隔は、例えば互いに異なってもよいが、本実施形態では互いに等しい。
【００１８】
図１−３に示すように、取付部材３は、上記した電子機器２をネジ止めによって筐体１に取り付けるための部材である。取付部材３は、本体部３１と、複数の雄ねじ部３２と、を備える。
【００１９】
本体部３１は、複数の筐体側取付孔１１に対応するピッチで一方向（図示例ではＺ軸方向）に配列された複数の貫通孔３３を有する。複数の貫通孔３３の軸方向は、互いに平行している。複数の貫通孔３３は、取付部材３をネジ止めによって筐体１に取り付けるために利用される。
本体部３１の具体的な形状は任意であってよい。本体部３１は、例えば複数の貫通孔３３の配列方向（図示例ではＺ軸方向）に延びる棒状（例えば円柱状、角柱状）に形成されてよい。本実施形態の本体部３１は、Ｚ軸方向に延びる帯板状に形成されている。複数の貫通孔３３は、本体部３１の板厚方向に貫通している。
【００２０】
複数の貫通孔３３は、例えば一種類のピッチで配列されてよい、すなわち一種類の貫通孔群を構成してよい。本実施形態において、複数の貫通孔３３は、互いに異なるピッチで配列された複数種類の貫通孔群３４を構成している。貫通孔群３４の種類の数は、例えば三つ以上であってよいが、本実施形態では二つである。第一貫通孔群３４Ａを構成する複数の第一貫通孔３３Ａは、第一ピッチで配列されている。第二貫通孔群３４Ｂを構成する複数の第二貫通孔３３Ｂは、第一ピッチと異なる第二ピッチで配列されている。
図示例においては、複数の筐体側取付孔１１のピッチが、複数の第一貫通孔３３Ａの第一ピッチに対応しているが、例えば複数の第二貫通孔３３Ｂの第二ピッチに対応してよい。貫通孔３３の複数種類のピッチ（第一ピッチ、第二ピッチなど）は、例えば、ＪＩＳ規格（ＪＩＳ  Ｃ  ６０１０）やＥＩＡ規格（ＥＩＡ−３１０−Ｄ）などの各種規格で規定されるピッチであってよい。
【００２１】
また、本実施形態の取付部材３では、図４に示すように、貫通孔３３が開口する本体部３１の主面３１ａのうち貫通孔３３の周縁領域に、貫通孔３３に通されるネジ４の頭部４１を収容するための収容凹部３５が形成されている。収容凹部３５は、少なくともネジ４を貫通孔３３に通した状態でネジ４の頭部４１が本体部３１の主面３１ａから突出しないように形成されていればよい。収容凹部３５の形状は、図示例のようにネジ４の頭部４１の形状に対応してよいが、これに限ることは無い。
【００２２】
図２，３に示すように、複数の雄ねじ部３２は、本体部３１から互いに同じ方向に突出し、複数の機器側取付孔２１に対応するピッチで一方向（複数の貫通孔３３の配列方向と同じ方向；図示例ではＺ軸方向）に配列されている。複数の雄ねじ部３２は、取付部材３をネジ止めによって電子機器２に取り付けるために利用される。複数の雄ねじ部３２は、電子機器２の同一の取付部２３に形成された複数の機器側取付孔２１にそれぞれ挿通される。
雄ねじ部３２の数は、同一の取付部２３に形成された機器側取付孔２１の数以下であればよい。本実施形態における雄ねじ部３２の数は、同一の取付部２３に形成された機器側取付孔２１の数と同じである。また、雄ねじ部３２の突出長さは、例えば複数の雄ねじ部３２の間で互いに異なってもよいが、本実施形態では、互いに等しい。
【００２３】
雄ねじ部３２の突出方向は、少なくとも複数の雄ねじ部３２の配列方向（図示例ではＺ軸方向）に直交していればよい。雄ねじ部３２の突出方向は、例えば本体部３１の貫通孔３３の貫通方向と異なってよい。雄ねじ部３２の突出方向は、例えば貫通孔３３の貫通方向と直交してもよい。本実施形態において、雄ねじ部３２の突出方向は、本体部３１の貫通孔３３の貫通方向と一致している。具体的に、雄ねじ部３２は、図２〜４に示すように、収容凹部３５を形成した本体部３１の主面３１ａから突出している。
【００２４】
複数の雄ねじ部３２は、例えば、複数の貫通孔３３に対して、複数の雄ねじ部３２や複数の貫通孔３３の配列方向（図示例ではＺ軸方向）、及び、雄ねじ部３２の突出方向や貫通孔３３の軸方向（図示例ではＹ軸方向）直交する方向（図示例ではＸ軸方向）にずれて位置してもよい。本実施形態において、Ｘ軸方向における複数の貫通孔３３及び複数の雄ねじ部３２の位置は、互いにずれずに一致している。すなわち、複数の貫通孔３３及び複数の雄ねじ部３２は、複数の貫通孔３３や雄ねじ部３２の配列方向（一方向；図示例ではＺ軸方向）に並んでいる。本実施形態において、取付部材の貫通孔３３と複数の雄ねじ部３２とがＺ軸方向に並ぶことは、一対の取付部２３の配列方向（Ｘ軸方向）における機器側取付孔２１同士の間隔が、一対のフレーム部１４の配列方向（Ｘ軸方向）における筐体側取付孔１１同士の間隔と等しいことに起因する。
【００２５】
また、本実施形態の取付部材３において、複数の貫通孔３３は、これらの配列方向（一方向）における基準位置ＲＰ１を中心として互いに対称に位置している。また、複数の雄ねじ部３２は、これらの配列方向（一方向）における基準位置ＲＰ１を中心として互いに対称に位置している。複数の貫通孔３３の基準位置ＲＰ１と、複数の雄ねじ部３２の基準位置ＲＰ２とは、例えば互いに異なっていてもよいが、本実施形態では互いに一致している。基準位置ＲＰ１，ＲＰ２は、図示例のように本体部３１の長手方向の中間位置であってもよいが、これに限ることは無い。
【００２６】
本実施形態の電子機器の取付構造では、図１，２に示すように、取付部材３の各貫通孔３３と筐体１の各筐体側取付孔１１とにネジ４を通すことで、取付部材３がネジ止めによって筐体１に取り付けられる。具体的に、取付部材３は、筐体１の一対のフレーム部１４に一つずつ取り付けられる。
本実施形態において、取付部材３を各フレーム部１４に取り付ける際には、本体部３１のうち主面３１ａと反対に向く面３１ｂ（反対面３１ｂ）を筐体１のフレーム部１４に対向させた状態で、本体部３１の各貫通孔３３とフレーム部１４の各筐体側取付孔１１とに順番にネジ４の軸部４２を通す。これにより、取付部材３の本体部３１をフレーム部１４とネジ４の頭部４１との間に挟み込んで、取付部材３を筐体１のフレーム部１４に固定できる。フレーム部１４の筐体側取付孔１１に通されたネジ４の軸部４２には、例えばナット等の雌ねじ部材を取り付けてもよいが、本実施形態では筐体側取付孔１１の内面に形成された雌ねじが噛み合う。
【００２７】
取付部材３を筐体１に取り付けた状態において、取付部材３の雄ねじ部３２は、筐体１のフレーム部１４や取付部材３の本体部３１に対して筐体１の開口が向く方向（Ｙ軸負方向）に延びている。また、本実施形態において、取付部材３の本体部３１は、各フレーム部１４に対してＹ軸負方向側に重ねて配されている。
【００２８】
電子機器２は、取付部材３の各雄ねじ部３２を電子機器２の各機器側取付孔２１に挿通させた上で、各雄ねじ部３２に雌ねじ部材５を取り付けることで、ネジ止めによって取付部材３に取り付けられる。
具体的には、取付部材３の複数の雄ねじ部３２を、電子機器２の各取付部２３の複数の機器側取付孔２１に各々挿通させた上で、複数の雄ねじ部３２にそれぞれ雌ねじ部材５を取り付けることで、電子機器２の各取付部２３が、取付部材３の本体部３１と雌ねじ部材５との間に挟み込まれる。これによって、電子機器２が取付部材３に取り付けられる。
以上により、電子機器２が取付部材３を介して筐体１に取り付けられる。
【００２９】
本実施形態において、筐体１に取り付けられた電子機器２の機器本体２２は、筐体１の一対のフレーム部１４の間に通されている。一方、電子機器２の一対の取付部２３は、機器本体２２に対してＸ軸方向の両側に位置している。これにより、Ｙ軸負方向側に向く機器本体２２の一部の面２２ａ（以下、機器本体２２の正面２２ａと呼ぶ。）が、筐体１の外側に露出する。また、一対の取付部２３は、それぞれＹ軸方向においてフレーム部１４との間に取付部材３の本体部３１を挟み込むように配される。
【００３０】
取付部材３に取り付けられる雌ねじ部材５は、例えば軸方向の寸法が短いナット等であってよい。本実施形態の雌ねじ部材５は、その軸方向に延びる棒状に形成されている。雌ねじ部材５の軸方向の寸法は、少なくとも電子機器２の機器側取付孔２１から突出する取付部材３の雄ねじ部３２の突出長さよりも長ければよい。これにより、軸方向における雌ねじ部材５の第一端部５１に、取付部材３の雄ねじ部３２が取り付けられても、軸方向における雌ねじ部材５の第二端部５２には、別の雄ねじ部材６が取り付け可能となる。
【００３１】
雌ねじ部材５においては、例えば、雌ねじ部材５の軸方向の両端部（第一端部５１、第二端部５２）の内周のみに雌ねじが形成され、軸方向の中途部（両端部の間の部分）の内周には雌ねじが形成されなくてもよい。本実施形態の雌ねじ部材５では、その内周全体に雌ねじが形成されている。
【００３２】
雌ねじ部材５の第二端部５２に取り付けられる別の雄ねじ部材６の具体的な構成は任意であってよい。別の雄ねじ部材６は、例えば頭部６１の外周面にローレットを形成したユリヤねじであってよい。この場合、別の雄ねじ部材６の頭部６１を手で摘んで簡単に回すことができる。すなわち、別の雄ねじ部材６を雌ねじ部材５の第二端部５２に対して簡単に取り付けたり取り外したりすることができる。
【００３３】
以上説明したように、本実施形態の取付部材３及びこれを含む電子機器の取付構造によれば、取付部材３の各貫通孔３３と筐体１の各筐体側取付孔１１とにネジ４を通すことで、複数個所のネジ止めによって取付部材３を筐体１に取り付けることができる。また、取付部材３の各雄ねじ部３２を電子機器２の各機器側取付孔２１に挿通させた上で、各雄ねじ部３２にナット等の雌ねじ部材５を取り付けることで、電子機器２を取付部材３に取り付けることができる。したがって、筐体１における筐体側取付孔１１のピッチと、電子機器２における機器側取付孔２１のピッチとが互いに異なっていても、ネジ止めによって電子機器２を筐体１に取り付けることができる。
【００３４】
また、本実施形態の取付部材３では、複数の貫通孔３３が互いに異なるピッチで配列された複数の貫通孔群３４（第一貫通孔群３４Ａ、第二貫通孔群３４Ｂ）を構成している。このため、複数の筐体側取付孔１１を互いに異なるピッチで配列した複数種類の筐体１に対して、同一の取付部材３をネジ止めによって固定することができる。すなわち、同一の取付部材３を複数種類の筐体１に対応させて、取付部材３の汎用性向上を図ることができる。
【００３５】
また、本実施形態の取付部材３では、貫通孔３３の貫通方向と、雄ねじ部３２の突出方向とが、互いに一致している。このため、取付部材３の本体部３１を、筐体１のフレーム部１４（筐体１のうち筐体側取付孔１１が形成された部位）と、電子機器２の取付部２３（電子機器２のうち機器側取付孔２１が形成された部位）との間に、挟み込むことができる。これにより、電子機器２を安定した状態で筐体１に取り付けることができる。
【００３６】
また、本実施形態の取付部材３では、貫通孔３３と雄ねじ部３２とが、複数の貫通孔３３や雄ねじ部３２の配列方向（一方向）に並んでいる。すなわち、Ｘ軸方向における雄ねじ部３２及び貫通孔３３の位置が、互いにずれずに一致している。このため、雄ねじ部３２と貫通孔３３とがＸ軸方向にずれて位置している場合と比較して、電子機器２を取付部材３に対して安定に取り付けることができる。
【００３７】
また、本実施形態の取付部材３では、本体部３１の主面３１ａのうち貫通孔３３の周縁領域に、ネジ４の頭部４１を収容する収容凹部３５が形成されている。貫通孔３３に通されるネジ４の頭部４１が本体部３１の収容凹部３５に収容されることで、電子機器２の取付部２３は、ネジ４の頭部４１に干渉することなく、取付部材３の主面３１ａに面接触することができる。これにより、電子機器２を取付部材３に対して安定に取り付けることができる。
【００３８】
また、本実施形態の取付部材３では、複数の貫通孔３３及び複数の雄ねじ部３２が、それぞれ同一の基準位置ＲＰ１，ＲＰ２を中心として互いに対称に位置している。このため、複数の貫通孔３３や複数の雄ねじ部３２がそれぞれ非対称に位置する場合、また、複数の貫通孔３３の基準位置ＲＰ１と複数の雄ねじ部３２の基準位置ＲＰ２とが互いに異なる場合と比較して、電子機器２を筐体１に対して安定に取り付けることができる。
【００３９】
また、本実施形態の電子機器の取付構造によれば、電子機器２を取付部材３に取り付けるための雌ねじ部材５の第一端部５１に、取付部材３の雄ねじ部３２に取り付けられ、雌ねじ部材５の第二端部５２には、別の雄ねじ部材６が取り付け可能となっている。このため、雌ねじ部材５の第二端部５２と別の雄ねじ部材６（特に頭部６１）との間に、所望の部材を挟み込むことができる。すなわち、雌ねじ部材５を利用して、所望の部材を電子機器２や筐体１に取り付けることができる。
【００４０】
上記した所望の部材は、例えば図１，２に示すように、電子機器２を筐体１に取り付け状態で筐体１の外側に露出する電子機器２の正面２２ａを覆うカバー部材７であってよい。この場合、電子機器２の正面２２ａに各種の活線部（例えばヒューズの差込口）やスイッチなどが設けられていても、活線部やスイッチに不意に触れることを防止できる。
カバー部材７は、導電性を有してもよいし、電気絶縁性を有してもよい。また、カバー部材７は、例えば透明な部材であってよい。この場合には、電子機器２の正面２２ａがカバー部材７によって覆われていても、電子機器２の正面２２ａに設けられるヒューズ等の各種部品やスイッチ等を視認することができる。
【００４１】
以上、本発明の詳細について説明したが、本発明は上述した実施形態に限定されるものではなく、本発明の主旨を逸脱しない範囲において種々の変更を加えることができる。
【００４２】
本発明の取付部材は、一つの電子機器を筐体に取り付けるように構成されることに限らず、例えば複数の電子機器を筐体に取り付けるように構成されてもよい。
【符号の説明】
【００４３】
１  筐体
１１  筐体側取付孔
１４  フレーム部
２  電子機器
２１  機器側取付孔
２２  機器本体
２３  取付部
３  取付部材
３１  本体部
３１ａ  主面
３２  雄ねじ部
３３  貫通孔
３３Ａ  第一貫通孔
３３Ｂ  第二貫通孔
３４  貫通孔群
３４Ａ  第一貫通孔群
３４Ｂ  第二貫通孔群
３５  収容凹部
４  ネジ
４１  ネジ４の頭部
５  雌ねじ部材
５１  第一端部
５２  第二端部
６  別の雄ねじ部材
６１  頭部
７  カバー部材
【図１】
2019091761.tif 000003
【図２】
2019091761.tif 000004
【図３】
2019091761.tif 000005
【図４】
2019091761.tif 000006